(57)【要約】【課題】  近年赤潮によりへい死したハマチ等の漁業被害は、数十億円にのぼり対策が出来ていない為、毎年漁家の悩みの種である。この問題を解決することが緊急課題として取り上げられている。【解決手段】養殖漁業は海面のイケスに飼育するハマチなど高級魚を毒性の強い赤潮が襲来してへい死させることを防御するには魚病に効果のある銅イオンが赤潮の死滅にも効果があるのでこれを利用するとともに赤潮の細胞膜に電気シヨツクを与えて瞬間的に死滅させるチタン白金メツキ金網の電極対を漁船の冷却海水配管に装備して銅イオン発生装置とともに通電することで赤潮を死滅させた銅イオン排水を海域に放水しながら銅電極網を曳航して漁場との往復中にも赤潮死滅を行い養魚イケスの下面より溶存酸素を補充することで、へい死寸前の魚類を活き返すことを可能としてさらにイケスの外面には、太陽電池を積んだブイから銅電極を垂下して赤潮が襲来してもイケス内部に侵入しないようにすることが最高の赤潮襲来完全防御方法である。【選択図】図１
2014124185.tif 000002
【特許請求の範囲】
【請求項１】
海面の赤潮を死滅する為の漁船船上に設けた冷却水海水通路の銅イオン発生装置により発生した銅イオンの死滅効果とチタン金網電極対の電気シヨツクによる細胞膜破壊作用の両者の効果により養魚イケスを襲来する赤潮を船内で防除した後の排出水を海域の赤潮に放水銃で放水して死滅を加えながら中層・底層の赤潮にもチタン・銅電極対網とを曳航し死滅を加えてその曳航パイプからも放水し中層海域を掃海して赤潮を死滅させる方法。
【請求項２】
赤潮によるへい死寸前の養魚イケス内の魚類を救うために底面に設けた吐出口から溶存酸素を供給できる配管に請求項１の銅イオン治療効果と赤潮死滅効果にのある排出水をイケス内外部に供給してへい死を防止する方法。
【請求項３】
養魚イケスの外面に浮上したブイから垂下した銅電極すべてを極性切り替え式の陽電極と陰電極として利用できる銅イオン発生装置の電源を太陽電池又は風力発電装置として搭載したイケス侵入赤潮死滅用兼魚病治療用途目的の常時長期間使用できる赤潮防御用銅イオン発生装置。
【請求項４】
養魚イケスの赤潮被害を防御するために赤潮の存在する海面の中層・底層での高密集群体を破壊するために銅イオン・チタン白金メツキ金網の合体曳航電極対に添えた曵航用パイプから銅イオンの赤潮死滅効果のある海水を散布して赤潮を死滅させて低濃度群体とすることで養魚イケスに赤潮の害を与えない方法。
【発明の詳細な説明】
【技術分野】
【０００１】プランクトンの毒性がハマチなど重要養殖魚類を殺して、水産上に打撃を与える事件が最近増加しているが対策がなされていない現状である。赤潮とは海のプランクトン性の生物が増殖し、その結果海水が着色する現象をいう。珪藻類、渦鞭毛藻類、ラフイド藻類などが代表的な種類であり養殖魚貝類に被害が大きいのは渦鞭毛藻類のギムノデイニウム（カレニア）属が代表的で特にカレニア・ミキモトイが多発して魚の呼吸機能の異常によりへい死にいたつているが被害を最小限に食い止める方法が無いのである。このための防止策としては魚には害を与えずに魚病を治療し周囲環境の変化を与えることなくて襲来する赤潮を死滅させてイケスの魚類を保護できるために赤潮プランクトンの細胞膜を破壊することで迅速かつ簡単に死滅させて広範囲に成すことの従来技術の改善方法に関する。
【背景技術】
【０００２】赤潮は単細胞であり細胞膜の水チャンネルへの攻撃により死滅が簡単に行えるので漁船の取水した海水冷却水経路に設けたチタン白金メツキ金網で構成された電極対に直流を通電して瞬間的に死滅してタンクより船上のポンプに送りタンク内外の船内電源、太陽電池により蓄電して複数の銅電極で構成された極性切り替え式銅イオン発生装置を通して常に銅イオンでの赤潮死滅を１００％として広い海域にその排水を放水銃で海面に散布することで魚場周辺の赤潮死滅を行ないながらさらに中層にも曵航したチタン白金メツキ金網電極対と銅電極対網の組みあわせ電極対を曳航し曳航ロープに付属したパイプから赤潮を死滅する銅イオンを吐出散布をなしつつ掃海することで、中層にある赤潮群体を破壊して低濃度とすることでイケスに赤潮が近寄つても危なくないようにすることで安全なイケス魚類を生育できることが可能となる従来技術の改良方法により新規な技術を提案するものである。【０００３】銅イオンの水産水基準は３０ｐｐｂである。【０００４】ハマチなどのへい死は酸素消費量が正常値の４倍ほど急激に増大した後正常値の２倍前後まで低下してそのまま１−数時間経過して死亡するのは、赤潮との接触で魚の代謝機能が亢進し、魚の窒息を引きおこす溶存酸素レベルが相対的に上昇するとされている。このような呼吸機構の異常を防止できればへい死を減少できるので魚病の治療効果もありながら赤潮を瞬間的に死滅可能な銅イオンをイケス内に補給することでへい死を減少させられる。【０００５】酸素の供給が十分にあり鰓や体表から酸素が拡散しても組織の酸素消費量に見合うだけの供給ができればへい死は減少できるので、イケスの下部に酸素供給口を複数設けてイケス内部に異常がみとめられたら酸素補充を行うことと上述の銅イオン排水治療効果とあわせて実行できるので、へい死を減少させる。【０００６】漁船上に養魚イケスに溶存酸素を補充可能な空気圧縮器の設備を搭載しイケスのへい死寸前の魚類に補給して生きかえらせるためのイケス下部のパイプから銅イオンの散水により赤潮を死滅させると同時に溶存酸素を補給するとともに魚病治療の効果により養魚をへい死から回復再生できる。
【先行技術文献】
【０００７】
【特許文献１】特許第２０２７３８８号
【特許文献２】特許第２０８３９５７号
【特許文献３】特許第３９８５２４５号
【特許文献４】特許第４０３２９７０号
【発明の概要】
【発明が解決しようとする課題】
【０００８】本発明は、チタン白金メツキ金網電極対を通過した赤潮の細胞膜を破壊して瞬間的に死滅させる技術と銅イオンの赤潮死滅と治療効果の従来技術にくわえて新規に魚類のへい死を減少させ再生する改善技術を提供することである。赤潮の中層・底層における密集群体を破壊することで海面上のイケスには影響の無い低濃度の赤潮とすることを成し、イケス収容魚類に赤潮被害の及ぶことを事前に防止する課題を新規に改善技術により解決することである。
【課題を解決するための手段】
【０００９】漁業者は高齢化と後継者不足傾向により漁獲の減少に加えて折角育てた養魚が赤潮により壊滅へい死する気持ちは想像を絶する。カレニア・ミキモトイは中層・底層を中心に増殖しパツチ状になり上下動を繰り返すので海面からの観察では海水の着色が判別し難いのでイケス底面での対応が必要となる。イケス底面にも赤潮死滅ができるように溶存酸素を含む空気と銅イオン発生装置の吐出水を混合して供給して曳航する銅電極網に添えたロープに固縛したパイプからも中層・底層に密集した赤潮群体を死滅させる複数の吐出口を設け噴出させることで赤潮を分断して低濃度とすれば赤潮が上昇してイケスまで襲来しても害の無い密度に低下させるので防御できる。イケス外周からの侵入には浮上ブイに太陽電池を積み通電を定期的に銅電極が陽極となるように極性を切り替えすることで常時通電して銅電極から銅イオンを発生できる複数の電極棒を垂下使用することで長期間毎年来襲する赤潮を死滅させ防御することができる新技術を提供する。【００１０】イケス以外の海域には漁船に搭載した銅イオン発生装置の銅イオン含有海水とチタン白金メツキ金網電極対に通電しての殺菌海水を混合したものを放水銃で海面を散布しながら移動しつつ船尾からつり下げた曵航索ロープにより銅電極網とチタン白金メツキ金網電極対を組み合わせて曵航することで赤潮の死滅掃海作業をすることを可能とした。赤潮の中・底層での掃海は漁業者の得意な分野であり、赤潮情報により深さを調整できる特徴がある。曳航索にはパイプを取り付けて上述の合同殺菌海水を散布しながら中層の赤潮密集群体を破壊分断死滅させてイケスまで赤潮が上昇しても魚類の死滅が生じない低密度にできる新規な技術で解決できる。
【発明の効果】
【００１０】赤潮の来襲が見られても本発明の利用により漁業界の安心感がありイケス養魚の売り上げ増加が見られるので、費用的に安価で長期使用が出来る材料のチタンと銅による構成であるので特別な対策を採らず漁業に専念できて、赤潮の発生がみられても終息を待つように変化する。
【図面の簡単な説明】
【００１１】
【図１】カンニア・ミキモトイのチタン白金メツキ金網電極対通過前と後の死滅写真を示す。図面代用写真である。塩素発生なし。
【図２】チタン白金メツキ金網電極対のカレニア・ミキモトイ荷電写真を示す。面代用写真である。
【図３】銅イオン３０ＰＰＢでの実験前後写真を示す。塩素発生なし。図面代用写真である。
【図４】銅イオン発生装置とチタン白金メツキ金網電源装置を搭載して放水銃、溶存酸素発生器及び曵航用銅電極網とチタン電極対を装備した漁船を示す。
【図５】曳航用銅電極網の構造を示す。
【図６】イケス底部溶存酸素配管を示す。
【図７】銅イオン発生用浮上ブイを示す。
【発明を実施するための形態】
【実施例】
【００１２】以下、実施例を示して本発明の方法をさらに具体的に説明するが、本発明はこれらに限定されるものではない。【００１３】カレニア・ミキモトイが各地での被害が大きいが山口県宇部沖の  カレニア・ミキモトイの死滅試験ではチタン白金メツキ金網の電極対を通過すると瞬間的に死滅して１日後には完全に分解された。【００１４】銅イオンではカレニア・ミキモトイを銅イオン３０ｐｐｂで死滅させた。【００１５】銅イオンの魚病治療効果ではイケス収容のへい死をゼロにできた。
【産業上の利用可能性】
【００１６】日本各地の養魚イケスは重要な資源であり長年育成してきた魚類の消滅は国民の蛋白源として栄養補充に欠かせないので農林水産省も対策を検討中である。
【符号の説明】
【００１７】１・海面                    １１・銅電極対網チタン白金金網電極対
２・赤潮                    １２・死滅赤潮
３・銅イオン発生装置        １３・溶存酸素注入口
４・取水口                  １４・吐出口
５・ポンプ                  １５・魚類
６・エンジン                １６・いけす
７・銅電極                  １７・配管
８・極性切り替え装置        １８・ブイ
９・放水銃                  １９・バッテリー
１０・酸素発生空気圧縮器    ２０・太陽電池
【図１】
2014124185.tif 000003
【図２】
2014124185.tif 000004
【図３】
2014124185.tif 000005
【図４】
2014124185.tif 000006
【図５】
2014124185.tif 000007
【図６】
2014124185.tif 000008
【図７】
2014124185.tif 000009